(57)【要約】【課題】  導体間に絶縁部材を挟みこむ専用金型が不要な端子型積層接続体を得ること。【解決手段】  コンバータ５の出力の一端が第１端子部３２ａに接続され、インバータ９の一端が第２端子部３２bに電気的に接続され、コンデンサ７の一端が第３端子部３２ｃに接続され、コンバータ５の出力の他端に第４端子部３４ａが接続され、インバータ９の他端が第５端子部３４ｂに接続され、コンデンサ７の他端が第６端子部３４ｃに接続され、第１端子部３２aから第３端子部３２cを有する第１導電接続部材３２と、第４端子部３４ａから第６端子部３４cを有する第２導電接続部材３４と、第１導電接続部材３２と第２導電接続部材３４との間に設けた絶縁部材３６とを備え、第１導電接続部材３２に第１孔３２eが設けられ、第２導電接続部材３４に第２孔３４ｅが設けられ、絶縁部材３６には、第１孔３２e及び第２孔３４ｅに係止する係止部３６Ｉが設けられる。【選択図】      図３
2008110821.tif 000002
【特許請求の範囲】
【請求項１】
交流電源を整流して直流電圧を得るコンバータの出力の一端が第１端子部に電気的に接続され、可変電圧可変周波数によりモータを駆動してかごを上昇下降させるインバータの一端が第２端子部に電気的に接続され、コンデンサの一端が第３端子部に電気的に接続され、
前記コンバータの出力の他端に第４端子部が電気的に接続され、前記インバータの他端が第５端子部に電気的に接続され、前記コンデンサの他端が第６端子部に電気的に接続され、
前記第１端子部から前記第３端子部を有すると共に、板状の第１導電接続部材と、
前記第４端子部から前記第６端子部を有すると共に、板状の第２導電接続部材と、
前記第１導電接続部材と前記第２導電接続部材との間に設けられと共に、板状の絶縁部材とを備え
前記第１導電接続部材には、第１の孔が設けられており、
前記第２導電接続部材には、第２の孔が設けられており、
前記絶縁部材には、前記第１の孔に係止する第１係止部が設けられると共に、前記第２の孔に係止する第２係止部が設けられている、
ことを特徴とするエレベーター用の端子型積層接続体。
【請求項２】
前記第１導電接続部材と前記第２導電接続部材とが同一形状である、
ことを特徴とする請求項１に記載のエレベーター用の端子型積層接続体。
【発明の詳細な説明】
【技術分野】
【０００１】
本発明は、エレベーター用の端子型積層接続体に関するものである。
【背景技術】
【０００２】
従来のエレベーター用の端子型積層接続体に用いられる端子型積層接続体には、下記特許文献１に記載のように、接続端子部が長手方向側方に突出形成されない複数枚の帯状導体を有し、該各帯状導体の平面中央部位には互いに異なる位置に電子部品の為の取付け穴を備え、これらの帯状導体を層間絶縁材及び表面絶縁材で一体的に絶縁被覆するようにした内部端子型積層母線に於いて、上記一方の帯状導体の取付け穴が他方の帯状導体の取付け穴とほぼ同一平面となるような皿状の窪みを有するように構成したものがある。
【０００３】
かかる端子型積層接続体によれば、接続端子部を各帯状導体に於いてほぼ同一面に配置するように構成したので、コンデンサ等の電子部品を接続実装する際にその電子部品の端子部をいずれでも同様に接続処理することが容易であり、この電子部品が傾く虞なく水平状態で電気・機械的に確実に接続実装処理することができる。
【特許文献１】実開平６−２６１１７号公報
【発明の開示】
【発明が解決しようとする課題】
【０００４】
しかしながら、上記端子型積層接続体では、導体間に絶縁部材を挟みこむ専用金型により一体成型を施すための金型を必要とする。そのため、新たに外形や端子位置が異なる端子型積層接続体を製作するには、新しい金型を製作しなければならず、金型の製作費用などがかさむという課題があった。
【０００５】
本発明は、上記のような課題を解決するためになされたもので、導体間に絶縁部材を挟みこむ専用金型が不要なエレベーター用の端子型積層接続体を提供することを目的とする。
【課題を解決するための手段】
【０００６】
第１の発明に係るエレベーター用の端子型積層接続体は、交流電源を整流して直流電圧を得るコンバータの出力の一端が第１端子部に電気的に接続され、可変電圧可変周波数によりモータを駆動してかごを上昇下降させるインバータの一端が第２端子部に電気的に接続され、コンデンサの一端が第３端子部に電気的に接続され、前記コンバータの出力の他端に第４端子部が電気的に接続され、前記インバータの他端が第５端子部に電気的に接続され、前記コンデンサの他端が第６端子部に電気的に接続され、前記第１端子部から前記第３端子部を有すると共に、板状の第１導電接続部材と、前記第４端子部から前記第６端子部を有すると共に、板状の第２導電接続部材と、前記第１導電接続部材と前記第２導電接続部材との間に設けられと共に、板状の絶縁部材とを備え、前記第１導電接続部材には、第１孔が設けられており、前記第２導電接続部材には、第２孔が設けられており、前記絶縁部材には、前記第１孔に係止する第１係止部が設けられると共に、前記第２孔に係止する第２係止部が設けられている、ことを特徴とするものである。
【０００７】
第２の発明に係るエレベーター用の端子型積層接続体は、第１導電接続部材と第２導電接続部材とが同一形状である、ことを特徴とするものである。
したがって、端子型積層接続体の構成部品を少なくすることができる。
【発明の効果】
【０００８】
本発明によれば、第１導電接続部材と第２導電接続部材との間に絶縁部材を挟みこむ専用金型が不要なエレベーター用の端子型積層接続体を得ることができる。
【発明を実施するための最良の形態】
【０００９】
実施の形態１．
本発明の一実施の形態を図１から図４によって説明する。図１は本発明の一実施の形態を示す端子型積層接続体が用いられたエレベーターの制御部分の全体構成図、図２は図１に示す端子型積層接続体を用いてコンバータ、コンデンサ、インバータを接続した平面図、図３は図１に示す端子型積層接続体の正面図(a)、分解斜視図(b)、図４は図１に示す端子型積層接続体の第１導電接続部材の平面図(a)、絶縁部材の平面図(a) 第２導電接続部材の平面図(c)である。
【００１０】
図１において、エレベーターは、三相交流電源３を整流して脈動直流電圧を発生するコンバータ５と、該脈動直流電圧を平滑化させるコンデンサ７と、直流電圧をモータ指令部２１からの指令信号に基づいて可変電圧可変周波数の交流電圧に変換してモータ１１を駆動するインバータ９とを備えている。
エレベーターは、モータ１1により巻上機のシーブ１３が回転するように形成されており、シーブ１３には、ロープ１５が掛けられ、ロープ１５の一端にかご１７が固定され、ロープ１５の他端に釣合錘１９が固定されている。
【００１１】
図１及び図２おいて、エレベーター用の端子型積層接続体３０は、第１導電接続部材３２、第２導電接続部材３４、絶縁部材３６を有している。第１導電接続部材３２は板状で、コンバータ５出力のネジ孔を有する一端が第１端子部３２ａに電気的に接続され、インバータ９入力のネジ孔を有する一端が第２端子部３２ｂに電気的に接続され、コンデンサ７のネジ孔を有する一端が第３端子部に電気的に接続されている。
第２導電接続部材３４はた板状で、コンバータ５出力のネジ孔を有する他端が第４端子部に接続され、インバータ９入力のネジ孔を有する他端が第５端子部に電気的に接続され、コンデンサ７のネジ孔を有する他端が第６端子部に電気的に接続されている。図３(a)に示すように、絶縁部材３６は、第１導電接続部材３２と第２導電接続部材３４との間に設けられている。
【００１２】
図４(a)において、第１導電接続部材３２は、全体が凸部と凹部とを合わせた略Ｆ形状で、略四角形の第１端子部３２ａと、第１端子部３２ａと所定距離離れて設けられた略四角形の第２端子部３２ｂと、第１端子部３２ａと反対方向に設けられると共に、略四角形の第３端子部３２ｃと、が設けられている。
第１導電接続部材３２には、第２導電接続部材３４、絶縁部材３６と重ね合わせるための二つの第１孔３２ｅが設けられており、第１端子部３２ａから第３端子部３２ｃには、ネジを通す孔が設けられている。
【００１３】
図４(c)において、第２導電接続部材３４は、第１導電接続部材３２と同一形状で、略四角形の第４端子部３４ａと、第４端子部３４ａと所定距離離れて設けられた略四角形の第５端子部３４ｂと、第４端子部３４ａと反対方向に設けられると共に、略四角形の第６端子部３４ｃと、が設けられている。
第２導電接続部材３４には、第１導電接続部材３２、絶縁部材３６と重ね合わせるための二つの第２孔３４ｅが設けられており、第１端子部３４ａから第３端子部３２ｃには、ネジを通す孔が設けられている。
図４(b)において、絶縁部材３６には、第１孔３２ｅ及び第２孔３４ｅに係止する柱状の第１及び第２係止部３６Ｉが立設されており、第１係止部３６Ｉは、弾性片として機能するために中央に切り欠きを有している。
【００１４】
上記のように構成されたエレベーター用の端子型積層接続体の組立てを図３及び図４を参照して説明する。
まず、第１導電接続部材３２、第２導電接続部材３４、絶縁部材３６を用意し、絶縁部材３６の表側の第１係止部３６Ｉに第１導電接続部材３２の第１孔３２ｅに係合し、絶縁部材３６の裏側の第２係止部３６Ｉに第２導電接続部材３４の第２孔３４ｅに係合して端子型積層接続体３０を得る。
【００１５】
上記端子型積層接続体３０を用いてインバータ９、コンバータ５、コンデンサ７に接続の手順を図１及び図２を参照して説明する。
まず、端子型積層接続体３０の第１端子部３２ａをネジ(図示せず)によりコンバータ５の一端に接続し、第２端子部３２ｂをインバータ９の一端にネジ(図示せず)により接続し、第３端子部３２ｃをコンデンサ７の一端にネジ(図示せず)により接続する。端子型積層接続体３０の第４端子部３４ａをコンバータ５の他端にネジ(図示せず)により接続し、第５端子部３４ｂをインバータ９の他端にネジ(図示せず)により接続し、第６端子部３４ｃをコンデンサ７の他端にネジ(図示せず)により接続して端子型積層接続体３０が完了する。
【００１６】
上記実施形態によれば、三相交流電源３を整流して直流電圧を得るコンバータ５の出力の一端が第１端子部３２ａに電気的に接続され、可変電圧可変周波数によりモータ１1を駆動してかご１７を上昇下降させるインバータ９の一端が第２端子部３２ｂに電気的に接続され、コンデンサ７の一端が第３端子部３２ｃに電気的に接続され、コンバータ５の出力の他端に第４端子部３４ａが接続され、インバータ９の他端が第５端子部３４ｂに電気的に接続され、コンデンサ７の他端が第６端子部３４ｃに電気的に接続され、第１端子部３２ａから第３端子部３２ｃを有すると共に、板状の第１導電接続部材３２と、第４端子部３４ａから第６端子部３４ｃを有すると共に、板状の第２導電接続部材３４と、第１導電接続部材３２と第２導電接続部材３４との間に設けられと共に、板状の絶縁部材３６とを備え、第１導電接続部材３２には、第１孔３２ｅが設けられており、第２導電接続部材３４には、第２孔３４ｅが設けられており、絶縁部材３６には、第１孔３２ｅに係止する係止部３６ｉが設けられると共に、第２孔３２ｅに係止する係止部３６Ｉが設けられている。これにより、第１導電接続部材３２と第２導電接続部材３４との間に絶縁部材３６を挟みこむ専用金型が不要なエレベーター用の端子型積層接続体３０を得ることができる。
【産業上の利用可能性】
【００１７】
本発明は、エレベーター用の端子型積層接続体に適用できる。
【図面の簡単な説明】
【００１８】
【図１】本発明の一実施の形態を示す端子型積層接続体が用いられたエレベーターの制御部分の全体構成図である。
【図２】図１に示す端子型積層接続体を用いてコンバータ、コンデンサ、インバータを接続した平面図である。
【図３】図１に示す端子型積層接続体の正面図(a)、分解斜視図(b)である。
【図４】図１に示す端子型積層接続体の第１導電接続部材の平面図(a)、絶縁部材の平面図(a) 第２導電接続部材の平面図(c)である。
【符号の説明】
【００１９】
３  三相交流電源、５  コンバータ、７  コンデンサ、９  インバータ、１７  モータ、３０  端子型積層接続体、３２  第１導電接続部材、３２ａ 第１端子部、３２b  第２端子部、３２ｃ  第３端子部、３４  第２導電接続部材、３４a 第４端子部、３４b  第５端子部、３４ｃ  第６端子部、３６  絶縁部材。
【図１】
2008110821.tif 000003
【図２】
2008110821.tif 000004
【図３】
2008110821.tif 000005
【図４】
2008110821.tif 000006